【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
部材片が設けられて透光性を有する第１板状体の当該部材片が設けられた面に透光性を有する接着剤によって透光性を有する第２板状体を貼り合わせてなる貼り合わせ板状体の検査装置であって、
前記第１板状体の表面を斜め上方から照明する照明器と、
該照明器により照明される前記貼り合わせ板状体を撮影するカメラと、
前記第２板状体を透過する光を反射する反射部材と、
前記照明器により前記第１板状体の表面が照明されている状態での前記カメラによる撮影画像を取得する撮影画像取得手段と、
該撮影画像取得手段にて取得された撮影画像上での、前記第１板状体を介して前記照明器により照明される前記部材片に対応した第１画像部分と、照明される前記部材片の影が前記接着剤の層及び前記第２板状体を介して前記反射部材に投影されて該反射部材により反射される当該影に対応した第２画像部分とのずれ量を取得する画像ずれ量取得手段と、
該画像ずれ量取得手段にて取得された前記撮影画像上での前記第１画像部分と前記第２画像部分とのずれ量に基づいて、前記接着剤の層の厚さを演算する層厚演算手段とを有する検査装置。
【請求項２】
前記カメラは、ラインセンサを備えたラインセンサカメラであって、
前記ラインセンサカメラと前記照明器との相対位置を保持しつつ、前記ラインセンサカメラと前記貼り合わせ板状体とを前記ラインセンサの延びる方向を横切る方向に相対移動させる移動機構を有する請求項１記載の検査装置。
【請求項３】
部材片が設けられて透光性を有する第１板状体の当該部材片の設けられた面に透光性を有する接着剤によって透光性を有する第２板状体を貼り合わせてなる貼り合わせ板状体の検査方法であって、
前記第１板状体の表面を斜め上方から照明する照明器と、該照明器により照明される前記貼り合わせ板状体を撮影するカメラと、前記第２板状体を透過する光を反射する反射部材とを用い、
前記照明器により前記第１板状体の表面が照明されている状態での前記カメラによる撮影画像を取得する撮影画像取得ステップと、
該撮影画像取得ステップにて取得された撮影画像上での、前記第１板状体を介して前記照明器により照明される前記部材片に対応した第１画像部分と、照明される前記部材片の影が前記接着剤の層及び前記第２板状体を介して前記反射部材に投影されて該反射部材により反射される当該影に対応した第２画像部分とのずれ量を取得する画像ずれ量取得ステップと、
該画像ずれ量取得ステップにて取得された前記撮影画像上での前記第１画像部分と前記第２画像部分とのずれ量に基づいて、前記接着剤の層の厚さを演算する層厚演算ステップとを有する検査方法。
【請求項４】
回路素子が配列形成されたセンサパネルの当該回路素子の形成された面に透光性を有する接着剤にてカバーガラスを貼り付けてなるセンサパネルアッセンブリの検査装置であって、
前記センサパネルの表面を斜め上方から照明する照明器と、
該照明器により照明される前記センサパネルアッセンブリを撮影するカメラと、
前記カバーガラスを透過する光を反射する反射部材と、
前記照明器により前記センサパネルの表面が照明される状態での前記カメラによる撮影画像を取得する撮影画像取得手段と、
該撮影画像取得手段にて取得された撮影画像上での、前記センサパネルを介して前記照明器により照明される前記回路素子に対応した第１画像部分と、照明される前記回路素子の影が前記接着剤の層及び前記カバーガラスを介して前記反射部材に投影されて該反射部材により反射される当該影に対応した第２画像部分とのずれ量を取得する画像ずれ量取得手段と、
該画像ずれ量取得手段にて取得された前記撮影画像上での前記第１画像部分と前記第２画像部分とのずれ量に基づいて前記接着剤の層の厚さを演算する層厚演算手段とを有する検査装置。
【請求項５】
前記カメラは、ラインセンサを備えたラインセンサカメラであって、
前記ラインセンサカメラと前記照明器との相対位置を保持しつつ、前記ラインセンサカメラと前記センサパネルアッセンブリとを前記ラインセンサの延びる方向を横切る方向に相対移動させる移動機構を有する請求項４記載の検査装置。
【請求項６】
回路素子が配列形成されたセンサパネルの当該回路素子の形成された面に透光性を有する接着剤にてカバーガラスを貼り付けてなるセンサパネルアッセンブリの検査方法であって、
前記センサパネルの表面を斜め上方から照明する照明器と、該照明器により照明される前記センサパネルアッセンブリを撮影するカメラと、前記カバーガラスを透過する光を反射する反射部材とを用い、
前記照明器により前記センサパネルの表面が照明される状態での前記カメラによる撮影画像を取得する撮影画像取得ステップと、
該撮影画像取得ステップにて取得された撮影画像上での、前記センサパネルを介して前記照明器により照明される前記回路素子に対応した第１画像部分と、照明される前記回路素子の影が前記接着剤の層及び前記カバーガラスを介して前記反射部材に投影されて該反射部材により反射される当該影に対応した第２画像部分とのずれ量を取得する画像ずれ量取得ステップと、
該画像ずれ量取得ステップにて取得された前記撮影画像上での前記第１画像部分と前記第２画像部分とのずれ量に基づいて前記接着剤の層の厚さを演算する層厚演算ステップとを有する検査方法。
【請求項７】
透光性を有する接着剤によって透光性を有する第１板状体と透光性を有する第２板状体を貼り合わせてなる貼り合わせ板状体の検査装置であって、
前記第１板状体の表面を斜め上方から照明する照明器と、
前記第１板状体と前記照明器との間に固定配置され、規則的に形成された目印が設けられた基準板状体と、
該照明器により照明される前記貼り合わせ板状体を撮影するカメラと、
前記第２板状体を透過する光を反射する反射部材と、
前記照明器により前記第１板状体の表面が照明されている状態での前記カメラによる撮影画像を取得する撮影画像取得手段と、
該撮影画像取得手段にて取得された撮影画像上での、前記第１板状体を介して前記照明器により照明される前記目印の第１の影に対応した第１画像部分と、照明される前記目印の第２の影が前記接着剤の層及び前記第２板状体を介して前記反射部材に投影されて該反射部材により反射される当該影に対応した第２画像部分とのずれ量を取得する画像ずれ量取得手段と、
該画像ずれ量取得手段にて取得された前記撮影画像上での前記第１画像部分と前記第２画像部分とのずれ量に基づいて前記接着剤の層の厚さを演算する層厚演算手段とを有する検査装置。
【手続補正２】
【補正対象書類名】明細書
【補正対象項目名】０００９
【補正方法】変更
【補正の内容】
【０００９】
本発明に係る検査装置は、部材片が設けられて透光性を有する第１板状体の当該部材片が設けられた面に透光性を有する接着剤によって透光性を有する第２板状体を貼り合わせてなる貼り合わせ板状体の検査装置であって、前記第１板状体の表面を斜め上方から照明する照明器と、該照明器により照明される前記貼り合わせ板状体を撮影するカメラと、前記第２板状体を透過する光を反射する反射部材と、前記照明器により前記第１板状体の表面が照明されている状態での前記カメラによる撮影画像を取得する撮影画像取得手段と、該撮影画像取得手段にて取得された撮影画像上での、前記第１板状体を介して前記照明器により照明される前記部材片に対応した第１画像部分と、照明される前記部材片の影が前記接着剤の層及び前記第２板状体を介して前記反射部材に投影されて該反射部材により反射される当該影に対応した第２画像部分とのずれ量を取得する画像ずれ量取得手段と、該画像ずれ量取得手段にて取得された前記撮影画像上での前記第１画像部分と前記第２画像部分とのずれ量に基づいて、前記接着剤の層の厚さを演算する層厚演算手段とを有する構成となる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
このような構成により、貼り合わせ板状体の第１板状体の表面が照明器によって照明されると、その第１板状体を介して前記照明器により当該第１板状体の接着剤に接する面に設けられた部材片が照明され、更に、その照明される部材片の影が接着剤の層及び第２板状体を介して反射部材に投影される。この状態でカメラが前記貼り合わせ板状体を撮影すると、そのカメラによる撮影画像には、照明される前記部材片に対応した第１画像部分と、前記反射部材に投影されて反射されるその部材片の影に対応した第２画像部分とが含まれており、それら第１画像部分と第２画像部分とのずれ量が取得される。そして、撮影画像上での部材片に対応した第１画像部分と該部材片の影に対応した第２画像部分とのずれ量に基づいて接着剤の層の厚さが演算され、その演算により得られた接着剤の層の厚さに基づいた検査結果情報が出力される。
【手続補正７】
【補正対象書類名】明細書
【補正対象項目名】００１６
【補正方法】変更
【補正の内容】
【００１６】
本発明に係る検査方法は、部材片が設けられて透光性を有する第１板状体の当該部材片の設けられた面に透光性を有する接着剤によって透光性を有する第２板状体を貼り合わせてなる貼り合わせ板状体の検査方法であって、前記第１板状体の表面を斜め上方から照明する照明器と、該照明器により照明される前記貼り合わせ板状体を撮影するカメラと、前記第２板状体を透過する光を反射する反射部材とを用い、前記照明器により前記第１板状体の表面が照明されている状態での前記カメラによる撮影画像を取得する撮影画像取得ステップと、該撮影画像取得ステップにて取得された撮影画像上での、前記第１板状体を介して前記照明器により照明される前記部材片に対応した第１画像部分と、照明される前記部材片の影が前記接着剤の層及び前記第２板状体を介して前記反射部材に投影されて該反射部材により反射される当該影に対応した第２画像部分とのずれ量を取得する画像ずれ量取得ステップと、該画像ずれ量取得ステップにて取得された前記撮影画像上での前記第１画像部分と前記第２画像部分とのずれ量に基づいて、前記接着剤の層の厚さを演算する層厚演算ステップとを有する構成となる。
【手続補正８】
【補正対象書類名】明細書
【補正対象項目名】００１７
【補正方法】変更
【補正の内容】
【００１７】
また、本発明の検査装置は、回路素子が配列形成されたセンサパネルの当該回路素子の形成された面に透光性を有する接着剤にてカバーガラスを貼り付けてなるセンサパネルアッセンブリの検査装置であって、前記センサパネルの表面を斜め上方から照明する照明器と、該照明器により照明される前記センサパネルアッセンブリを撮影するカメラと、前記カバーガラスを透過する光を反射する反射部材と、前記照明器により前記センサパネルの表面が照明される状態での前記カメラによる撮影画像を取得する撮影画像取得手段と、該撮影画像取得手段にて取得された撮影画像上での、前記センサパネルを介して前記照明器により照明される前記回路素子に対応した第１画像部分と、照明される前記回路素子の影が前記接着剤の層及び前記カバーガラスを介して前記反射部材に投影されて該反射部材により反射される当該影に対応した第２画像部分とのずれ量を取得する画像ずれ量取得手段と、該画像ずれ量取得手段にて取得された前記撮影画像上での前記第１画像部分と前記第２画像部分とのずれ量に基づいて前記接着剤の層の厚さを演算する層厚演算手段とを有する構成となる。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
また、本発明に係る検査方法は、回路素子が配列形成されたセンサパネルの当該回路素子の形成された面に透光性を有する接着剤にてカバーガラスを貼り付けてなるセンサパネルアッセンブリの検査方法であって、前記センサパネルの表面を斜め上方から照明する照明器と、該照明器により照明される前記センサパネルアッセンブリを撮影するカメラと、前記カバーガラスを透過する光を反射する反射部材とを用い、前記照明器により前記センサパネルの表面が照明される状態での前記カメラによる撮影画像を取得する撮影画像取得ステップと、該撮影画像取得ステップにて取得された撮影画像上での、前記センサパネルを介して前記照明器により照明される前記回路素子に対応した第１画像部分と、照明される前記回路素子の影が前記接着剤の層及び前記カバーガラスを介して前記反射部材に投影されて該反射部材により反射される当該影に対応した第２画像部分とのずれ量を取得する画像ずれ量取得ステップと、該画像ずれ量取得ステップにて取得された前記撮影画像上での前記第１画像部分と前記第２画像部分とのずれ量に基づいて前記接着剤の層の厚さを演算する層厚演算ステップとを有する構成となる。
【手続補正１１】
【補正対象書類名】明細書
【補正対象項目名】００５１
【補正方法】変更
【補正の内容】
【００５１】
１０  センサパネルアッセンブリ
１１  センサパネル
１２  カバーガラス
１３、１５  接着剤
２０  液晶パネルアッセンブリ
５０  ラインセンサカメラ
５０ａ  ラインセンサ
５１  照明ユニット
５２  反射板
６０  移動機構
７０  処理ユニット
７１  表示ユニット
７２  操作ユニット
１１１  センサ素子
１２１  影